(57)【要約】    【課題】  １画面中に親画面及び子画面を表示する表示装置及び表示方法において、子画面においても映像の細部を認識することが容易な表示装置及び表示方法を提供する。    【解決手段】  信号切換部５が外部から入力された映像信号を選択して、親画面信号処理部３及び子画面信号処理部４に対して夫々出力する。そして、子画面信号処理部４の画像拡大／縮小制御部９が、子画面の表示枠の大きさを設定すると共に、１フレーム分の画像データを画像メモリ１０に書き込む。画像拡大／縮小制御部９が画像メモリ１０から画像データを読み出すときに、画像データを拡大又は縮小すると共に、表示枠の大きさに合わせて子画面用画像から表示領域を切り出す。そして、画像合成部６が親画面中に子画面が表示された合成画像を作成し、表示部７がこの合成画像を表示する。【選択図】  図１
2005215375.tif 000002
【特許請求の範囲】
【請求項１】
親画面中に子画面を表示する表示装置において、前記子画面用の画像を拡大又は縮小すると共に設定された前記子画面の表示枠の大きさに合わせて前記子画面用の画像からその少なくとも一部分を切り出して子画面表示画像を作成する子画面画像制御部と、前記親画面用の画像中に前記子画面表示画像が表示された合成画像を作成する画像合成部と、前記合成画像を表示する表示部と、を有することを特徴とする表示装置。
【請求項２】
画面中に親画面及び子画面を同時に表示する表示装置において、前記子画面用の画像を拡大又は縮小すると共に設定された前記子画面の表示枠の大きさに合わせて前記子画面用の画像からその少なくとも一部分を切り出して子画面表示画像を作成する子画面画像制御部と、前記親画面用の画像を拡大又は縮小すると共に設定された前記親画面の表示枠の大きさに合わせて前記親画面用の画像からその少なくとも一部分を切り出して親画面表示画像を作成する親画面画像制御部と、前記画面中に前記子画面表示画像及び前記親画面表示画像を配置した合成画像を作成する画像合成部と、前記合成画像を表示する表示部と、を有することを特徴とする表示装置。
【請求項３】
前記子画面画像制御部から画像データが書き込まれると共にこの子画面画像制御部により前記画像データが読み出される画像メモリと、を有することを特徴とする請求項１又は２に記載の表示装置。
【請求項４】
前記子画面画像制御部は、前記画像メモリから前記画像データを読み出すときに、前記子画面用の画像の拡大又は縮小及び切り出しを行うものであることを特徴とする請求項３に記載の表示装置。
【請求項５】
前記子画面画像制御部は、前記画像メモリに前記画像データを書き込むときに、前記子画面用の画像の切り出しを行い、前記画像メモリから前記画像データを読み出すときに、前記画像の拡大又は縮小を行うものであることを特徴とする請求項３に記載の表示装置。
【請求項６】
前記子画面画像制御部は、前記画像メモリに前記画像データを書き込むときに、前記画像の拡大又は縮小を行い、前記画像メモリから前記画像データを読み出すときに、前記子画面用の画像の切り出しを行うものであることを特徴とする請求項３に記載の表示装置。
【請求項７】
前記子画面画像制御部が、前記画像メモリに新たな前記画像データを書き込むことを停止して、前記画像メモリから同じ画像データを繰返し読み出すことにより、前記子画面に静止画像を表示させることを特徴とする請求項３乃至６のいずれか１項に記載の表示装置。
【請求項８】
親画面中に子画面を表示する表示方法において、１の画像を表示するフレームを繰り返すことにより複数の画像を連続的に表示し、各フレームは、前記子画面用の画像を拡大又は縮小すると共に設定された前記子画面の表示枠の大きさに合わせて前記子画面用の画像からその少なくとも一部分を切り出して子画面表示画像を作成する子画面画像制御工程と、前記親画面用の画像中に前記子画面表示画像が表示された合成画像を作成する画像合成工程と、前記合成画像を表示する表示工程と、を有することを特徴とする表示方法。
【請求項９】
画面中に親画面及び子画面を同時に表示する表示方法において、１の画像を表示するフレームを繰り返すことにより複数の画像を連続的に表示し、各フレームは、前記子画面用の画像を拡大又は縮小すると共に設定された前記子画面の表示枠の大きさに合わせて前記子画面用の画像からその少なくとも一部分を切り出して子画面表示画像を作成する子画面画像制御工程と、前記親画面用の画像を拡大又は縮小すると共に設定された前記親画面の表示枠の大きさに合わせて前記親画面用の画像からその少なくとも一部分を切り出して親画面表示画像を作成する親画面画像制御工程と、前記画面中に前記子画面表示画像及び前記親画面表示画像が配置された合成画像を作成する画像合成工程と、前記合成画像を表示する表示工程と、を有することを特徴とする表示方法。
【請求項１０】
前記子画面画像制御工程は、画像メモリに画像データを書き込む書込工程と、前記画像メモリから前記画像データを読み出す読出工程と、を有することを特徴とする請求項８又は９に記載の表示方法。
【請求項１１】
前記読出工程において、前記子画面用の画像の拡大又は縮小及び切り出しを行うことを特徴とする請求項１０に記載の表示方法。
【請求項１２】
前記書込工程において、前記子画面用の画像の切り出しを行い、前記読出工程において、前記画像の拡大又は縮小を行うことを特徴とする請求項１０に記載の表示方法。
【請求項１３】
前記書込工程において、前記画像の拡大又は縮小を行い、前記読出工程において、前記子画面用の画像の切り出しを行うことを特徴とする請求項１０に記載の表示方法。
【請求項１４】
前記各フレームの前記書込工程において、前記画像メモリに新たな前記画像データを書き込むことを停止して、前記各フレームの前記読出工程において、前記画像メモリから同じ画像データを読み出すことにより、前記子画面に静止画像を表示させることを特徴とする請求項１０乃至１３のいずれか１項に記載の表示方法。
【発明の詳細な説明】
【技術分野】
【０００１】
本発明は、１つの画面中に親画面及び子画面を設け、２つの映像を同時に表示する表示装置及び表示方法に関する。
【背景技術】
【０００２】
近時、テレビジョン受像機等の表示装置の大画面化に伴い、親画面の一部に子画面をはめ込んで２つの映像を同時に表示するピクチャーインピクチャー表示（以下、ＰｉｎＰという）が可能な表示装置が開発されている（例えば、特許文献１参照。）。
【０００３】
図４は特許文献１に開示された従来の表示装置を示すブロック図である。図４に示すように、従来の表示装置１０１においては、親画面用の映像信号を処理する親画面信号処理回路１０２と、子画面用の映像信号を処理する子画面信号処理回路１０３とが設けられている。また、表示装置１０１には、外部から映像信号が入力され、この映像信号をコントローラ１０４からの制御信号に基づいて切り替え、親画面信号処理回路１０２及び子画面信号処理回路１０３に対して夫々出力する信号切換部１０５が設けられている。
【０００４】
更に、表示装置１０１には、コントローラ１０４から入力された制御信号及び親画面信号処理回路１０２から入力された親画面用映像信号に基づいて、子画面信号処理回路１０３から入力された子画面用映像信号にＰｉｎＰ処理を施し、子画面の表示枠の大きさ及び親画面上における子画面の表示位置を調整するＰｉｎＰ処理回路１０６が設けられている。更にまた、ＰｉｎＰ処理回路１０６から画像データが書き込まれると共に、書き込まれた画像データをＰｉｎＰ処理回路１０６に対して出力するメモリ１０７が設けられている。更にまた、ＰｉｎＰ処理回路１０６の出力信号及び親画面信号処理回路１０２の出力信号が入力され、親画面用映像信号に子画面用映像信号を重畳させて出力する親子重畳マトリクス回路１０８が設けられている。親子重畳マトリクス回路１０８は、コントローラ１０４からの制御信号に基づいてオン／オフが制御され、オンのときは前述の重畳処理を行い、オフのときは親画面信号処理回路１０２の出力信号をそのまま出力するようになっている。そして、親子重畳マトリクス回路１０８の出力信号は、ブラウン管等の表示部１０９に入力され、表示部１０９がこの入力信号に基づいて映像表示を行う。
【０００５】
このような従来の表示装置１０１において、親画面のみを表示する場合は、コントローラ１０４が、信号切換部１０５に、親画面信号処理回路１０２及び子画面信号処理回路１０３に同一の映像信号を入力させると共に、親子重畳マトリクス回路１０８をオフとする。これにより、親画面信号処理回路１０２から出力された親画面用の映像信号が、親子重畳マトリクス回路１０８を通過して表示部１０９に入力され、表示部１０９がこの映像を表示する。
【０００６】
一方、通常のＰｉｎＰ表示を行う場合、即ち、親画面と子画面とで相互に異なる画像を表示させる場合は、コントローラ１０４が、信号切換部１０５に、親画面信号処理回路１０２及び子画面信号処理回路１０３に相互に異なる映像信号を入力させると共に、親子重畳マトリクス回路１０８をオンとする。これにより、親子重畳マトリクス回路１０８により、親画面用の映像に子画面用の映像が重畳され、この重畳された映像が表示部１０９により表示される。また、ＰｉｎＰ処理回路１０６が１フレーム分の画像データをメモリ１０７に書き込み、メモリ１０７がこの１フレーム分の画像データをＰｉｎＰ処理回路１０６に対して出力し続けることにより、子画面に静止画像を表示することができる。
【０００７】
【特許文献１】特開平０４−３２８９７３号公報
【発明の開示】
【発明が解決しようとする課題】
【０００８】
しかしながら、上述の従来の技術には、以下に示すような問題点がある。図４に示す従来の表示装置においては、子画面の表示枠に子画面用の映像全体を表示するようにしたまま、子画面の表示枠の大きさを親画面にはめ込めるように縮小するため、必然的に子画面に表示される映像が小さくなってしまう。このため、子画面は映像の細部を見ることには適さず、例えば、文字情報等を読み取ることが困難であった。
【０００９】
本発明はかかる問題点に鑑みてなされたものであって、１画面中に親画面及び子画面を表示する表示装置及び表示方法において、子画面においても映像の細部を認識することが容易な表示装置及び表示方法を提供することを目的とする。
【課題を解決するための手段】
【００１０】
本発明に係る表示装置は、親画面中に子画面を表示する表示装置において、前記子画面用の画像を拡大又は縮小すると共に設定された前記子画面の表示枠の大きさに合わせて前記子画面用の画像からその少なくとも一部分を切り出して子画面表示画像を作成する子画面画像制御部と、前記親画面用の画像中に前記子画面表示画像が表示された合成画像を作成する画像合成部と、前記合成画像を表示する表示部と、を有することを特徴とする。
【００１１】
本発明においては、子画面画像制御部が子画面用の画像を拡大又は縮小することにより、子画面用の画像の大きさを任意に設定することができる。これにより、子画面に表示される映像の細部を認識することが容易になる。
【００１２】
本発明に係る他の表示装置は、画面中に親画面及び子画面を同時に表示する表示装置において、前記子画面用の画像を拡大又は縮小すると共に設定された前記子画面の表示枠の大きさに合わせて前記子画面用の画像からその少なくとも一部分を切り出して子画面表示画像を作成する子画面画像制御部と、前記親画面用の画像を拡大又は縮小すると共に設定された前記親画面の表示枠の大きさに合わせて前記親画面用の画像からその少なくとも一部分を切り出して親画面表示画像を作成する親画面画像制御部と、前記画面中に前記子画面表示画像及び前記親画面表示画像を配置した合成画像を作成する画像合成部と、前記合成画像を表示する表示部と、を有することを特徴とする。
【００１３】
本発明においては、子画面画像制御部が子画面用の画像を拡大又は縮小すると共に、親画面画像制御部が親画面用の画像を拡大又は縮小することにより、子画面用の画像及び親画面用の画像の大きさを夫々任意に設定することができる。これにより、表示の自由度が向上し、子画面及び親画面に表示される映像の細部を認識することが容易になる。
【００１４】
本発明に係る表示方法は、親画面中に子画面を表示する表示方法において、１の画像を表示するフレームを繰り返すことにより複数の画像を連続的に表示し、各フレームは、前記子画面用の画像を拡大又は縮小すると共に設定された前記子画面の表示枠の大きさに合わせて前記子画面用の画像からその少なくとも一部分を切り出して子画面表示画像を作成する子画面画像制御工程と、前記親画面用の画像中に前記子画面表示画像が表示された合成画像を作成する画像合成工程と、前記合成画像を表示する表示工程と、を有することを特徴とする。
【００１５】
本発明に係る他の表示方法は、画面中に親画面及び子画面を同時に表示する表示方法において、１の画像を表示するフレームを繰り返すことにより複数の画像を連続的に表示し、各フレームは、前記子画面用の画像を拡大又は縮小すると共に設定された前記子画面の表示枠の大きさに合わせて前記子画面用の画像からその少なくとも一部分を切り出して子画面表示画像を作成する子画面画像制御工程と、前記親画面用の画像を拡大又は縮小すると共に設定された前記親画面の表示枠の大きさに合わせて前記親画面用の画像からその少なくとも一部分を切り出して親画面表示画像を作成する親画面画像制御工程と、前記画面中に前記子画面表示画像及び前記親画面表示画像が配置された合成画像を作成する画像合成工程と、前記合成画像を表示する表示工程と、を有することを特徴とする。
【発明の効果】
【００１６】
本発明によれば、子画面の表示枠の大きさに拘束されずに、子画面画像制御部が子画面用の画像を任意に拡大又は縮小することにより、子画面に表示される映像の細部を認識することが容易になる。
【発明を実施するための最良の形態】
【００１７】
以下、本発明の実施形態について添付の図面を参照して具体的に説明する。先ず、本発明の第１の実施形態について説明する。図１は本実施形態に係る表示装置を示すブロック図であり、図２は図１に示す子画面信号処理部を示すブロック図である。図１に示すように、本実施形態に係る表示装置１においては、リモートコントロール装置（リモコン）又はパーソナルコンピュータ（パソコン）等の入力装置５１から送信されたコマンド信号に基づいて、表示装置１の各部に対して制御信号を出力するマイクロコンピュータ（マイコン）２が設けられている。
【００１８】
また、表示装置１には、親画面用の映像信号を処理して親画面に表示させる親画面表示画像を作成する親画面信号処理部３と、子画面用の映像信号を処理して子画面に表示させる子画面表示画像を作成する子画面信号処理部４とが設けられている。更に、マイコン２から入力された制御信号に基づいて、外部から入力されたアナログの映像信号を切り換えて、親画面信号処理部３及び子画面信号処理部４に対して夫々出力する信号切換部５が設けられている。更にまた、表示装置１には、親画面信号処理部３から出力された親画面表示画像と、子画面信号処理部４から出力された子画面表示画像とを合成し、親画面表示画像中に子画面表示画像が表示された合成画像を作成する画像合成部６が設けられている。また、画像合成部６から出力され前記合成画像を示す２画面信号が入力され、前記合成画像を表示する表示部７が設けられている。表示部７には表示パネル（図示せず）及びこの表示パネルを駆動する駆動回路（図示せず）が設けられている。表示パネルは例えば、水平方向が６４０ドット、垂直方向が４８０ドット（以下、（６４０×４８０）と表記する）のプラズマディスプレイパネル（以下、ＰＤＰという）であり、駆動回路はこのＰＤＰを駆動する回路である。
【００１９】
子画面信号処理部４には、信号切換部５から入力されたアナログの映像信号をデジタル信号に変換するＡ／Ｄコンバータ部８が設けられている。また、Ａ／Ｄコンバータ部８から出力されたデジタルの画像データが入力され、マイコン２からの制御信号に基づいてこの画像データを処理し、子画面の表示枠の大きさの設定、子画面の親画面上における位置の調整、子画面に表示する子画面用画像の拡大／縮小を行う画像拡大／縮小制御部９が設けられている。更に、画像拡大／縮小制御部９により画像データが書き込まれ、これを記憶する画像メモリ１０が設けられている。
【００２０】
図２に示すように、画像拡大／縮小制御部９においては、Ａ／Ｄコンバータ部８から出力された子画面用の画像が入力され、この画像のブランキング部分をカットする画像取込設定部１１が設けられている。テレビジョン用の信号においては、画像の上下に不要な信号が存在することがあるため、画像の上下端を削除する必要がある。このため、画像取込設定部１１は、画像が例えば（６４０×４８０）の大きさであるとき、画像の上下端における各１０ライン分に相当する信号を削除する。
【００２１】
また、画像拡大／縮小制御部９においては、画像取込設定部１１の出力信号が入力され、マイコン２からの制御信号に基づいて、子画面用画像の拡大／縮小を行う画像処理部１２が設けられている。画像処理部１２は、制御信号に基づいて子画面用画像を拡大又は縮小すると共に、制御信号に基づいて親画面中における子画面の表示枠の大きさ、即ち、表示枠の水平方向及び垂直方向の画素数、を設定し、この設定された表示枠の大きさに合わせて子画面用画像から実際に表示する表示領域を切り出すものである。例えば、入力される子画面用画像の大きさが（６４０×４８０）であり、画像の拡大／縮小率が（１／２）であり、表示枠の大きさが（１６０×１２０）である場合、画像処理部１２は、（６４０×４８０）の子画面用画像に対して、（１／２）倍の縮小変換処理、即ち、（２×２）→（１×１）の変換処理を施し、（３２０×２４０）の画像データとする。そして、この（３２０×２４０）の画像の一部、例えば中央部における大きさが（１６０×１２０）の表示領域を切り出し、子画面に実際に表示する（１６０×１２０）の子画面表示画像を作成する。
【００２２】
また、画像拡大／縮小制御部９には、画像処理部１２から出力された１フレーム分の画像データを画像メモリ１０に書き込む書込制御部１３、及び画像メモリ１０に記憶された１フレーム分の画像データを読み出して画像処理部１２に対して出力する読出制御部１４が設けられている。
【００２３】
なお、入力装置５１は、使用者により、子画面の表示枠の大きさ及び子画面用画像の拡大／縮小率並びに表示装置１に静止画像を表示させる画面静止コマンド等が入力され、これらに基づいてコマンド信号を生成し、表示装置１のマイコン２に対して送信するものである。
【００２４】
マイコン２は、このコマンド信号に基づいて制御信号を生成し、これらの制御信号を信号切換部５、Ａ／Ｄコンバータ８、及び画像拡大／縮小制御部９の画像処理部１２に対して夫々出力するものである。
【００２５】
次に、上述の如く構成された本実施形態に係る表示装置の動作、即ち、本実施形態に係る表示方法について、図１及び図２を参照して説明する。先ず、表示装置１に親画面のみを表示させる場合について説明する。使用者が入力装置５１に、親画面のみを表示する旨の命令を入力すると共に、親画面に表示させる映像信号の種類を入力する。これにより、入力装置５１がコマンド信号を表示装置１のマイコン２に対して送信する。マイコン２は制御信号を生成し、信号切換部５及び子画面信号処理部４に対して出力する。この結果、信号切換部５が、外部から入力された映像信号のうち１つの信号を親画面信号処理部３に対して出力する。なお、この映像信号はアナログ信号であり、各画像サイズは（６４０×４８０）である。また、親画面信号処理部３は常にオンとなっており、子画面信号処理部４はオフになる。親画面信号処理部３は、信号切換部５から入力された親画面用映像信号に対して所定の処理を行い、親画面表示画像を作成してこれを画像合成部６に対して出力する。画像合成部６は、入力された親画面表示画像をそのまま通過させ、フレーム毎に表示部７に対して出力する。そして、表示部７が、フレーム毎に親画面表示画像を表示することにより、親画面用の映像を表示する。
【００２６】
次に、表示装置１に親画面及び子画面の双方を表示させる場合について説明する。先ず、使用者が入力装置５１にＰｉｎＰ表示を行う旨の命令を入力すると共に、親画面及び子画面に表示させる映像信号の種類を入力し、更に、子画面の表示枠の大きさ、及び子画面に表示する子画面用映像の拡大／縮小率を入力する。なお、このとき、必要に応じて、親画面中における子画面の表示位置、及び子画面用画像における表示領域を選択してもよい。また、親画面に表示させる映像信号の種類と、子画面に表示させる映像信号の種類とは、相互に同じでもよく、相互に異なっていてもよい。
【００２７】
これにより、入力装置５１がコマンド信号を生成して表示装置１のマイコン２に対して送信し、マイコン２がこのコマンド信号に基づいて制御信号を生成し、信号切換部５、並びに子画面信号処理部４のＡ／Ｄコンバータ８及び画像拡大／縮小制御部９の画像処理部１２に対して出力する。
【００２８】
これにより、信号切換部５が外部から入力されたアナログの映像信号のうち１又は２の信号を選択して、親画面信号処理部３に対して親画面用映像信号を出力すると共に、子画面信号処理部４に対して子画面用映像信号を出力する。親画面用映像信号及び子画面用映像信号における各画像のサイズは共に（６４０×４８０）である。そして、親画面信号処理部３は、親画面用映像信号に対して所定の処理を行って親画面表示画像を生成し、画像合成部６に対して出力する。
【００２９】
一方、子画面信号処理部４においては、マイコン２から入力された制御信号に基づいて、Ａ／Ｄコンバータ部８がアナログの子画面用映像信号をデジタルの画像データに変換し、画像拡大／縮小制御部９に対して出力する。画像拡大／縮小制御部９においては、画像取込設定部１１が子画面用画像のブランキング部分をカットして、画像処理部１２に対して出力する。そして、画像処理部１２は、この子画面用映像信号を、画像サイズを（６４０×４８０）としたまま、１フレーム分ずつ、即ち、１画像分ずつ書込制御部１３に対して出力し、書込制御部１３はこの画像データを画像メモリ１０に書き込む。これにより、画像メモリ１０には１フレーム毎に画像データが順次上書きされて記憶される。次に、読出制御部１４が画像メモリ１０から画像データを読出し、画像処理部１２に対して出力する。
【００３０】
画像処理部１２は、この画像メモリ１０から読み出された画像データを拡大又は縮小し、所定の大きさとする。例えば、拡大／縮小率が（１／２）に設定されている場合、画像データに対して（２×２）→（１×１）変換を行い、（６４０×４８０）の大きさの画像データを（３２０×２８０）の大きさに縮小する。次に、画像処理部１２は、マイコン２から出力された制御信号に基づいて子画面の表示枠の大きさを設定し、この設定された子画面の表示枠の大きさに合わせて、縮小された画像から実際に表示する表示領域を切り出す。例えば、子画面の表示枠の大きさが（１６０×１２０）である場合は、大きさが（３２０×２８０）である画像の画像データから、大きさが（１６０×１２０）である画像の画像データを抜き出す。なお、子画面用画像における表示領域の位置は任意に選択することができる。そして、この大きさが（１６０×１２０）である画像を子画面表示画像として、画像合成部６に対して出力する。
【００３１】
画像合成部６は、親画面信号処理部３から入力された親画面表示画像に、子画面信号処理部４から入力された子画面表示画像を足し込み、親画面表示画像における所定の表示枠に子画面表示画像がはめ込まれた合成画像を作成し、表示部７に対して出力する。表示部７は、１フレーム毎にこの合成画像を表示することにより、２画面映像を表示する。
【００３２】
そして、子画面において静止画像を表示させる場合は、子画面が子画面用映像を表示しているときに、使用者が入力装置５１に静止画像を表示させる旨の命令を入力する。これにより、入力装置５１が画面静止コマンド信号を生成し、表示装置１のマイコン２に対して送信し、マイコン２が制御信号を画像処理部１２に対して出力し、画像処理部１２が書込制御部１３に対して画像データを出力することを停止する。この結果、画像メモリ１０には新たな画像データが上書きされなくなり、読出制御部１４がフレーム毎に画像メモリ１０に記憶された同一の画像データを読み出し続けて画像処理部１２に対して出力する。これにより、子画面に静止画像を表示させることができる。
【００３３】
本実施形態においては、使用者により、子画面の表示枠の大きさが選択されると共に子画面の拡大／縮小率が選択され、この選択結果に基づいて、画像処理部１２が子画面の表示枠の大きさを設定すると共に、子画面用画像に対して拡大／縮小処理を施す。このとき、画像処理部１２は、子画面の表示枠の大きさに拘束されずに、子画面用画像を拡大又は縮小することができる。これにより、子画面に子画面用映像の全体を表示させる場合と比較して、子画面用映像の一部を拡大して表示することができ、子画面においても、画像の細部を認識することが容易になる。また、本実施形態においては、子画面に静止画像を表示することができ、この静止画像についても、任意の倍率で拡大／縮小して表示することができる。この結果、例えば、親画面にはある映像を表示し、子画面には親画面に表示している映像の静止画像を表示して、両者を容易に比較することができる。
【００３４】
次に、前述の第１の実施形態の第１の変形例について説明する。前述の第１の実施形態においては、画像拡大／縮小制御部９は、画像データを画像メモリ１０から読み出すときに画像の拡大／縮小及び切り出しを行ったが、本変形例においては、画像拡大／縮小制御部９は、画像データを画像メモリ１０に書き込むときに画像の切り出しを行い、画像メモリ１０から画像データを読み出すときに画像の拡大／縮小を行う。本変形例における上記以外の構成は、前述の第１の実施形態と同様である。
【００３５】
例えば、画像拡大／縮小制御部９の画像処理部１２には、（６４０×４８０）の画像データが入力され、この画像データから表示領域を切り出して（３２０×２４０）の画像データとすると共に、この（３２０×２４０）の画像データを書込制御部１３により画像メモリ１０に書き込む。その後、読出制御部１４が画像メモリ１０から（３２０×２４０）の画像データを読み出して、画像処理部１２に対して出力する。このとき、画像処理部１２は、この（３２０×２４０）の画像データを（２×２）→（１×１）変換して縮小し、大きさが（１６０×１２０）の画像データとする。その後、この画像データを子画面表示画像として画像合成部６に対して出力する。本変形例における上記以外の動作は、前述の第１の実施形態と同様である。
【００３６】
本変形例においては、前述の第１の実施形態と比較して、画像メモリ１０に書き込む画像データが小さくなるため、画像メモリ１０に対する書込み及び読出し動作が簡略化し、高速化する。本変形例における上記以外の効果は、前述の第１の実施形態と同様である。
【００３７】
次に、前述の第１の実施形態の第２の変形例について説明する。本変形例においては、画像拡大／縮小制御部９は、画像データを画像メモリ１０に書き込むときに画像の拡大／縮小を行い、画像メモリ１０から画像データを読み出すときに画像の切り出しを行う。
【００３８】
例えば、画像拡大／縮小制御部９の画像処理部１２には、（６４０×４８０）の画像データが入力され、の画像データを（２×２）→（１×１）変換して縮小し、大きさが（３２０×２４０）の画像データとすると共に、この（３２０×２４０）の画像データを書込制御部１３により画像メモリ１０に書き込む。その後、読出制御部１４が画像メモリ１０から（３２０×２４０）の画像データを読み出して、画像処理部１２に対して出力する。このとき、画像処理部１２は、この（３２０×２４０）の画像データから、表示領域を切り出して（１６０×１２０）の画像データとする。その後、この画像データを画像合成部６に対して出力する。本変形例における構成及び上記以外の動作は、前述の第１の実施形態と同様である。
【００３９】
本変形例においては、前述の第１の実施形態と比較して、画像メモリ１０に書き込む画像データが小さくなるため、画像メモリ１０に対する書込み及び読出し動作が簡略化し、高速化する。但し、子画面用画像の拡大／縮小率の設定値によって画像メモリ１０に書き込む画像データの大きさが変化し、子画面用画像を拡大する場合には、画像メモリ１０に書き込む画像データが元の画像データよりも大きくなってしまう。このため、前述の第１の実施形態と比較して、画像メモリを大型化することになり、コストが高くなる。本変形例における上記以外の効果は、前述の第１の実施形態と同様である。
【００４０】
次に、本発明の第２の実施形態について説明する。図３は、本実施形態に係る表示装置を示すブロック図である。図３に示すように、本実施形態に係る表示装置２１においては、前述の第１の実施形態における親画面信号処理部３（図１参照）の替わりに、親画面信号処理部２３が設けられている。親画面信号処理部２３の構成及び動作は、子画面信号処理部４と同様である。
【００４１】
即ち、親画面信号処理部２３には、アナログの映像信号をデジタルの画像データに変換するＡ／Ｄコンバータ部２８が設けられており、また、Ａ／Ｄコンバータ部２８から出力された親画面用の画像を拡大又は縮小すると共に、マイコン２を介して設定された親画面の表示枠の大きさに合わせて、親画面用の画像から表示領域を切り出す画像拡大／縮小制御部２９が設けられている。画像拡大／縮小制御部２９の構成は、子画面信号処理部４の画像拡大／縮小制御部９の構成と同様である。更に、親画面信号処理部２３には、画像拡大／縮小制御部２９によって１フレーム分の画像データが書込み及び読出しされる画像メモリ３０が設けられている。
【００４２】
そして、マイコン２には、入力装置５１を介して親画面の表示枠の大きさ、表示位置、親画面用画像の拡大／縮小率がコマンド信号として入力され、マイコン２はこれらのコマンド信号に基づいて、Ａ／Ｄコンバータ部２８及び画像拡大／縮小制御部２９に対して制御信号を出力するようになっている。また、画像合成部６は、親画面信号処理部２３から出力された親画面表示画像と、子画面信号処理部４から出力された子画面表示画像とが、任意に設定された位置及び大きさで配置された１つの合成画像を作成し、この合成画像を表示部７に対して出力する。そして、表示部７がフレーム毎にこの合成画像を表示する。なお、表示装置２１においては、親画面と子画面とは特に区別はなく、独立した２画面として扱うことができる。このため、親画面及び子画面を任意のレイアウトで同時に表示することができる。例えば、表示装置７の画面の右半分を親画面とし、左半分を子画面とすることも可能である。本実施形態に係る上記以外の構成及び動作は、前述の第１の実施形態と同様である。
【００４３】
本実施形態においては、親画面及び子画面双方について、表示枠の大きさ及び画面上の位置並びに表示する画像の大きさを任意に設定できるため、画面のレイアウトの自由度が向上する。また、親画面及び子画面の双方に静止画像を表示することができる。本実施形態における上記以外の効果は、前述の第１の実施形態と同様である。
【００４４】
なお、前述の各実施形態においては、子画面の表示枠の大きさ、子画面の拡大／縮小率等の設定を外部の入力装置５１により行っているが、本発明はこれに限定されず、表示装置１に操作パネル等の入力装置が内蔵されていてもよい。この場合は、外部の入力装置５１は必ずしも必要ではない。
【００４５】
また、前述の各実施形態においては、表示部７の表示パネルがＰＤＰである例を示したが、本発明はこれに限定されず、液晶パネル及びブラウン管等の他の表示パネルであってもよい。
【産業上の利用可能性】
【００４６】
本発明は、複数の画像を同時に表示する表示装置及び表示方法に適用でき、特に、文字情報等の静止画像を表示する表示装置及び表示方法に好適に利用できる。
【図面の簡単な説明】
【００４７】
【図１】本発明の第１の実施形態に係る表示装置を示すブロック図である。
【図２】図１に示す子画面信号処理部を示すブロック図である。
【図３】本発明の第２の実施形態に係る表示装置を示すブロック図である。
【図４】特許文献１に開示された従来の表示装置を示すブロック図である。
【符号の説明】
【００４８】
１；表示装置
２；マイクロコンピュータ（マイコン）
３、２３；親画面信号処理部
４；子画面信号処理部
５；信号切換部
６；画像合成部
７；表示部
８、２８；Ａ／Ｄコンバータ部
９、２９；画像拡大／縮小制御部
１０、３０；画像メモリ
１１；画像取込設定部
１２；画像処理部
１３；書込制御部
１４；読出制御部
５１；入力装置
１０１；表示装置
１０２；親画面信号処理回路
１０３；子画面信号処理回路
１０４；コントローラ
１０５；信号切換部
１０６；ＰｉｎＰ処理回路
１０７；メモリ
１０８；親子重畳マトリクス回路
１０９；表示部
【図１】
2005215375.tif 000003
【図２】
2005215375.tif 000004
【図３】
2005215375.tif 000005
【図４】
2005215375.tif 000006